(57)【要約】【課題】発光素子における発光輝度の温度依存性を低減させることができる駆動装置および駆動方法を提供すること。【解決手段】サーミスタＴｈを備え、環境温度に対応して出力電圧が制御される電圧源が非点灯駆動電源５ａとして使用される。一走査ごとにリセット期間と点灯駆動期間が繰り返され、前記リセット期間においては非点灯駆動電源５ａからの出力電圧が、表示パネル１に配列された各発光素子Ｅ１１〜Ｅｍｎに印加される。点灯駆動期間に移行した場合には、点灯対象とされる発光素子には定電流回路Ｉ１〜Ｉｍより発光駆動電流が供給される。この場合、点灯対象とされる発光素子は非点灯駆動電源５ａからの出力電圧をベースとして環境温度に対応した順方向電圧に立ち上がるので、前記リセット期間から順方向電圧に立ち上がる時間は、低温状態および高温状態にかかわりなく、ほぼ一定の期間となる。【選択図】図３
2007101826.tif 000002
【特許請求の範囲】
【請求項１】
互いに交差する複数の走査線および複数のデータ線と、前記各走査線および各データ線の交差位置において前記各走査線と各データ線との間にそれぞれ接続された発光素子を備えた発光表示パネルの駆動装置であって、
前記各走査線のそれぞれを走査選択電位または非走査選択電位に設定するための走査ドライバと、前記各データ線のそれぞれを点灯駆動電源または非点灯駆動電源に接続するためのデータドライバとが具備され、
前記非点灯駆動電源の出力電圧値が、可変制御されるように構成したことを特徴とする発光表示パネルの駆動装置。
【請求項２】
前記非点灯駆動電源の出力電圧値は、温度に応じて可変制御されるように構成したことを特徴とする請求項１に記載された発光表示パネルの駆動装置。
【請求項３】
前記非点灯駆動電源の出力電圧値は、温度が低くなるにしたがって上昇する特性が得られるように構成したことを特徴とする請求項２に記載された発光表示パネルの駆動装置。
【請求項４】
走査対象となる走査線を走査選択電位に設定し、前記各データ線のうち点灯駆動対象となるデータ線を点灯駆動電源に接続する点灯駆動期間と、次の走査対象となる走査線を走査選択電位に設定し、前記各データ線のうち点灯駆動対象となるデータ線を点灯駆動電源に接続する点灯駆動期間との間において、前記非点灯駆動電源の出力電圧を前記各データ線を介して次に点灯対象となる発光素子に印加するリセット期間が設定されるように構成したことを特徴とする請求項１ないし請求項３のいずれか１項に記載された発光表示パネルの駆動装置。
【請求項５】
前記各リセット期間には、表示パネルに配列された各発光素子の寄生容量に蓄積された電荷を放電させる放電期間と、次に点灯対象となる発光素子に対して前記非点灯駆動電源の出力電圧が印加されるプリチャージ期間とが設定されるように構成したことを特徴とする請求項４に記載された発光表示パネルの駆動装置。
【請求項６】
前記非点灯駆動電源には、感温素子と抵抗素子との直列接続回路が具備され、温度変化に依存する前記感温素子と抵抗素子との分圧比の変化により、前記出力電圧値が可変制御されるように構成したことを特徴とする請求項１ないし請求項５のいずれか１項に記載された発光表示パネルの駆動装置。
【請求項７】
前記非点灯駆動電源には、前記感温素子と抵抗素子とにより分圧された分圧出力を制御電極に受けるボルテージフォロアがさらに具備され、当該ボルテージフォロアの２つの被制御電極間の直流抵抗値の変化を利用して前記出力電圧値を可変制御するように構成したことを特徴とする請求項６に記載された発光表示パネルの駆動装置。
【請求項８】
前記非点灯駆動電源には、前記表示パネルに配列された発光素子と同一の層構造により構成されたモニタ素子が用いられ、温度変化に依存する前記モニタ素子の順方向電圧を利用して、前記出力電圧値を可変制御するように構成したことを特徴とする請求項１ないし請求項５のいずれか１項に記載された発光表示パネルの駆動装置。
【請求項９】
前記非点灯駆動電源の出力電圧値は、前記発光素子の発光閾値電圧以下の範囲で可変制御されるように構成したことを特徴とする請求項１ないし請求項８のいずれか１項に記載された発光表示パネルの駆動装置。
【請求項１０】
前記表示パネルに配列される発光素子として、複数の異なる発光色を呈する素子が具備されると共に、前記複数の発光色に対応した少なくとも２つの非点灯駆動電源が備えられ、前記非点灯駆動電源の出力電圧値が、個別に可変制御されるように構成したことを特徴とする請求項１ないし請求項９のいずれか１項に記載された発光表示パネルの駆動装置。
【請求項１１】
互いに交差する複数の走査線および複数のデータ線と、前記各走査線および各データ線の交差位置において前記各走査線と各データ線との間にそれぞれ接続された発光素子を備えた発光表示パネルの駆動方法であって、
前記各データ線を非点灯駆動電源に接続するリセット動作と、
前記各走査線のうち走査対象となる走査線を走査選択電位に設定し、また前記各データ線のうち点灯駆動対象となるデータ線を点灯駆動電源に接続する点灯駆動動作と、
を走査対象となる走査線を順次変更して繰り返して実行させると共に、前記リセット動作において前記各データ線に印加される前記非点灯駆動電源の出力電圧値が可変制御されることを特徴とする発光表示パネルの駆動方法。
【請求項１２】
前記非点灯駆動電源の出力電圧値は、温度に応じて可変制御されることを特徴とする請求項１１に記載された発光表示パネルの駆動方法。
【請求項１３】
前記非点灯駆動電源の出力電圧値は、温度が低くなるにしたがって前記出力電圧値が増大するように制御されることを特徴とする請求項１２に記載された発光表示パネルの駆動方法。
【請求項１４】
走査対象となる走査線を走査選択電位に設定し、前記各データ線のうち点灯駆動対象となるデータ線を点灯駆動電源に接続する点灯駆動期間と、次の走査対象となる走査線を走査選択電位に設定し、前記各データ線のうち点灯駆動対象となるデータ線を点灯駆動電源に接続する点灯駆動期間との間において、前記非点灯駆動電源の出力電圧を前記各データ線を介して次に点灯対象となる発光素子に印加するリセット期間が設定されるように制御することを特徴とする請求項１１ないし請求項１３のいずれか１項に記載された発光表示パネルの駆動方法。
【請求項１５】
前記各リセット期間には、表示パネルに配列された各発光素子の寄生容量に蓄積された電荷を放電させる放電期間と、次に点灯駆動対象となる発光素子に対して前記非点灯駆動電源の出力電圧を供給するプリチャージ期間とが設定されるように制御することを特徴とする請求項１４に記載された発光表示パネルの駆動方法。
【請求項１６】
前記非点灯駆動電源の出力電圧値は、前記発光素子の発光閾値電圧以下の範囲で可変制御されることを特徴とする請求項１１ないし請求項１５のいずれか１項に記載された発光表示パネルの駆動方法。
【発明の詳細な説明】
【技術分野】
【０００１】
この発明は、容量性の発光素子を用いた発光表示パネルに対して好適に採用することができる駆動装置および駆動方法に関し、特に前記発光素子における発光輝度の温度依存性を低減させることができる駆動装置および駆動方法に関する。
【背景技術】
【０００２】
携帯電話機や携帯型情報端末機（ＰＤＡ）などの普及によって、高精細な画像表示機能を有し、薄型かつ低消費電力化を実現することができる表示パネルの需要が増大しており、従来より液晶表示パネルがその要求を満たす表示パネルとして多くの製品に採用されてきた。一方、昨今においては自発光型素子であるという特質を生かした有機ＥＬ（エレクトロ・ルミネッセンス）素子が実用化され、これが従来の液晶表示パネルに代わる次世代の表示パネルとして注目されている。これは素子の発光層に、良好な発光特性を期待することができる有機化合物を使用することによって、実用に耐え得る高効率化および長寿命化が進んだことも背景にある。
【０００３】
前記した有機ＥＬ素子（以下、単にＥＬ素子とも言う。）は、基本的にはガラス等の透明基板上に、例えばＩＴＯによる透明電極（陽極）と発光機能層、およびアルミ合金などによる金属電極（陰極）とが順次積層されることで構成されている。そして、前記発光機能層は有機化合物による単一の発光層、あるいは有機正孔輸送層と発光層による二層構造、または有機正孔輸送層と発光層および有機電子輸送層からなる三層構造、さらには前記透明電極と正孔輸送層との間に正孔注入層を、また前記金属電極と電子輸送層との間に電子注入層を挿入した多層構造になされる場合もある。そして、前記発光機能層において発生する光は、前記透明電極および透明基板を介して外部に導出される。
【０００４】
前記したＥＬ素子は、電気的にはダイオード特性を有する発光エレメントと、この発光エレメントに並列に結合する寄生容量成分とによる構成に置き換えることができ、ＥＬ素子は容量性の発光素子であるということが言える。このＥＬ素子は、発光駆動電圧が印加されると、先ず当該素子の電気容量に相当する電荷が電極に変位電流として流れ込み蓄積される。続いて当該素子固有の一定の電圧（発光閾値電圧＝Ｖｔｈ）を越えると、一方の電極（ダイオード成分のアノード側）から発光機能層に向かって電流が流れはじめ、この電流に比例した強度で発光すると考えることができる。
【０００５】
一方、有機ＥＬ素子は電流・輝度特性が温度変化に対して安定しているのに対して、電圧・輝度特性が温度変化に対する依存性が高いこと、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルがすでに実用化されている。
【０００６】
図１には従来のパッシブマトリクス型表示パネルと、その駆動回路の一例が示されており、これは陰極線走査・陽極線ドライブの形態を示している。すなわち、ｍ本のデータ線（以下、これを陽極線とも言う。）Ａ１〜Ａｍが縦方向に配列され、ｎ本の走査線（以下、これを陰極線とも言う。）Ｋ１〜Ｋｎが横方向に配列され、各々の交差した部分（計ｍ×ｎ箇所）に、ダイオードおよびコンデンサのシンボルマークによる並列結合体で示したＥＬ素子Ｅ１１〜Ｅｍｎが配置されて、表示パネル１を構成している。
【０００７】
そして、画素を構成する各ＥＬ素子Ｅ１１〜Ｅｍｎは、縦方向に沿う陽極線Ａ１〜Ａｍと横方向に沿う陰極線Ｋ１〜Ｋｎとの各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｍはデータドライバとしての陽極線ドライブ回路２に接続され、各陰極線Ｋ１〜Ｋｎは走査ドライバとしての陰極線走査回路３に接続されてそれぞれ駆動される。
【０００８】
前記陽極線ドライブ回路２には、駆動電圧源ＶＨからの駆動電圧を利用して動作する点灯駆動電源としての定電流源Ｉ１〜Ｉｍ、およびドライブスイッチＳａ１〜Ｓａｍが備えられており、ドライブスイッチＳａ１〜Ｓａｍが前記定電流源Ｉ１〜Ｉｍ側に接続されることにより、定電流源Ｉ１〜Ｉｍからの電流が、走査される陰極線に対応して配置された個々のＥＬ素子Ｅ１１〜Ｅｍｎに対して点灯駆動電流として供給されるように作用する。
【０００９】
また、前記ドライブスイッチＳａ１〜Ｓａｍは、非点灯駆動電源としての回路の基準電位であるグランド（ＧＮＤ）電位が、陰極線に対応して配置された個々のＥＬ素子Ｅ１１〜Ｅｍｎに対して供給することができるように構成されている。なお、この明細書における説明においては、それぞれ点灯および発光の語句が混在することになるが、これらは特に使い分ける意義はなく、同一の意味として使用する。
【００１０】
一方、前記陰極線走査回路３には、各陰極線Ｋ１〜Ｋｎに対応して走査スイッチＳｋ１〜Ｓｋｎが備えられ、非走査選択電位として機能する主にクロストーク発光を防止するために用いられる逆バイアス電圧源ＶＭからの逆バイアス電圧、もしくは走査選択電位としてのグランド（ＧＮＤ）電位のうちのいずれか一方を、対応する陰極線に供給することができるように構成されている。
【００１１】
そして、前記した陽極線ドライブ回路２および陰極線走査回路３には、ＣＰＵ等を含む発光制御回路４よりコントロールバスを介してそれぞれに制御信号が供給され、表示すべき映像信号に基づいて、前記走査スイッチＳｋ１〜ＳｋｎおよびドライブスイッチＳａ１〜Ｓａｍの切り換え操作が実行される。これにより、映像信号に基づいて陰極線を所定の周期でグランド電位に設定しながら所望の陽極線に対して定電流源Ｉ１〜Ｉｍが接続され、前記各ＥＬ素子Ｅ１１〜Ｅｍｎが選択的に発光されることで、表示パネル１上に前記映像信号に基づく画像が表示される。
【００１２】
なお、図１に示す状態は、第１の陰極線Ｋ１がグランド電位に設定されて走査状態になされ、この時、非走査状態の各陰極線Ｋ２〜Ｋｎには、前記した逆バイアス電圧源ＶＭからの逆バイアス電圧が印加される。ここで、走査発光状態におけるＥＬ素子の順方向電圧をＶｆとした時、〔（順方向電圧Ｖｆ）−（逆バイアス電圧ＶＭ）〕＜（発光閾値電圧Ｖｔｈ）の関係となるように各電位設定がなされており、したがって、ドライブされている陽極線と走査選択がなされていない陰極線との交点に接続された各ＥＬ素子がクロストーク発光するのを防止するように作用する。
【００１３】
前記した構成の表示パネルの駆動装置においては、各走査線を順次走査状態にする場合、各々の走査に先立ち、各ＥＬ素子の寄生容量に充電されている電荷量をすべてゼロまたはすべて所定の電位にリセットするリセット動作が実行され、この後において点灯駆動対象となるデータ線を点灯駆動電源に接続する点灯駆動動作が実行される。
【００１４】
前記したリセット動作においては、前記陰極線走査回路３における各走査スイッチＳｋ１〜Ｓｋｎはすべて走査選択電位であるグランド側に接続され、また前記陽極線ドライブ回路２におけるドライブスイッチＳａ１〜Ｓａｍはすべて非走査選択電位であるグランド側に接続される。これにより、図１に示す構成においては表示パネル１に配列された各ＥＬ素子の寄生容量に充電されている電荷量はすべてゼロにされるリセット動作（ＧＮＤ−ＧＮＤリセット）が実行される。
【００１５】
この動作を実行することにより、すべてのＥＬ素子はその寄生容量に充電されている電荷がゼロにされるので、次に点灯駆動されるＥＬ素子が、前の走査により蓄積された電荷の影響を受けるのを避けることができ、ＥＬ素子の発光輝度を精度よく制御することが可能となる。
【００１６】
前記リセット動作（リセット期間）に続く、前記した点灯駆動動作（点灯駆動期間）においては、前記各走査線のうち走査対象となる走査線、すなわち図１に示す例においては第１の走査線Ｋ１が走査選択電位であるグランド電位に設定されると共に、他の走査線Ｋ２〜Ｋｎは非走査選択電位である逆バイアス電位ＶＭに設定されるように各走査スイッチＳｋ１〜Ｓｋｎが選択接続される。そして、前記各データ線のうち点灯駆動対象となるデータ線（図１においてはすべてのデータ線Ａ１〜Ａｍ）がドライブスイッチＳａ１〜Ｓａｍを介して、点灯駆動電源としての定電流源Ｉ１〜Ｉｍに接続される動作が実行される。
【００１７】
前記したリセット動作（リセット期間）および点灯駆動動作（点灯駆動期間）は、走査対象となる走査線を順次変更して同様に繰り返され、これにより表示パネルに配列されたＥＬ素子は、あたかも連続発光しているようにして点灯制御される。前記したようなリセット動作を含むパッシブマトリクス型発光表示パネルの駆動装置については、すでに多くの出願がなされており、次に示す特許文献１、特許文献２などを挙げることができる。
【特許文献１】特許第３６４６９１６号公報
【特許文献２】特許第３６４６９１７号公報
【発明の開示】
【発明が解決しようとする課題】
【００１８】
ところで、前記した表示パネルに配列されたＥＬ素子は、すでに説明したとおり温度依存性を有しており、例えば同一電圧値の印加状態においては高温時に高輝度となり、低温時には低輝度となる特性を呈する。また同一の駆動電流を供給する条件下においては、高温時においては素子の順方向電圧Ｖｆが低く、低温時においては素子の順方向電圧Ｖｆが高くなるという特性を有している。
【００１９】
特に図１に示したよう定電流駆動方式のパッシブマトリクス型表示装置においては、点灯駆動時において素子に加わる電圧が順方向電圧Ｖｆに達した後は、定電流駆動されるために環境温度に関係なくほぼ同一の輝度特性を得ることができる。しかしながら、素子に加わる電圧が順方向電圧Ｖｆに達するまでの時間が、環境温度によって変化するために、結果として環境温度によって輝度が変化するという問題が発生する。
【００２０】
図２は、その動作を模式的に示すものであり、横軸は一走査期間に対応するリセット期間と定電流期間（点灯駆動期間）を示しており、縦軸は点灯駆動対象とされる１つのＥＬ素子の両端電圧（順方向電圧）を示している。ここで、前記したＧＮＤ−ＧＮＤリセットを実行する場合においては、リセット期間においてＥＬ素子の両端電圧はゼロになされる。そして定電流期間においてＥＬ素子の両端電圧は寄生容量の影響を受けて除々に上昇し、環境温度に対応した順方向電圧Ｖｆに到達する。
【００２１】
このとき、環境温度が低温状態である場合にはＶｆｃとして示すように順方向電圧が高いために、その立ち上がりに時間を要することになる。このために素子の発光輝度は実質的に低くなる。また環境温度が高温状態である場合にはＶｆａとして示すように順方向電圧が低いために、その立ち上がりに要する時間は短くなり、このために素子の発光輝度は実質的に高くなる。
【００２２】
前記した作用による温度に対応した輝度変化の影響は、同一の発光色を配列したモノクローム表示のパネルにおいてはそれ程問題視されないが、例えばＲ（赤），Ｇ（緑），Ｂ（青）の発光色を備えたカラー表示パネルにおいては、それぞれにおいて温度に対する輝度特性が異なるために、環境温度の変化により色度バランスが崩れてしまうという問題を招来させる。
【００２３】
この発明は、前記した問題点に着目してなされたものであり、特に一走査ごとにリセット期間と点灯駆動期間を繰り返す点灯制御がなされる前記したパッシブ駆動型発光表示パネルに適用することで、効果的に発光素子の温度依存性を低減させることができる駆動装置および駆動方法を提供することを課題とするものである。
【課題を解決するための手段】
【００２４】
前記した課題を解決するためになされたこの発明にかかる駆動装置の好ましい基本形態は、請求項１に記載のとおり、互いに交差する複数の走査線および複数のデータ線と、前記各走査線および各データ線の交差位置において前記各走査線と各データ線との間にそれぞれ接続された発光素子を備えた発光表示パネルの駆動装置であって、前記各走査線のそれぞれを走査選択電位または非走査選択電位に設定するための走査ドライバと、前記各データ線のそれぞれを点灯駆動電源または非点灯駆動電源に接続するためのデータドライバとが具備され、前記非点灯駆動電源の出力電圧値が、可変制御されるように構成したことを特徴とする。
【００２５】
また、前記した課題を解決するためになされたこの発明にかかる駆動方法の好ましい基本態様は、請求項１１に記載のとおり、互いに交差する複数の走査線および複数のデータ線と、前記各走査線および各データ線の交差位置において前記各走査線と各データ線との間にそれぞれ接続された発光素子を備えた発光表示パネルの駆動方法であって、前記各データ線を非点灯駆動電源に接続するリセット動作と、前記各走査線のうち走査対象となる走査線を走査選択電位に設定し、また前記各データ線のうち点灯駆動対象となるデータ線を点灯駆動電源に接続する点灯駆動動作とを走査対象となる走査線を順次変更して繰り返して実行させると共に、前記リセット動作において前記各データ線に印加される前記非点灯駆動電源の出力電圧値が可変制御される点に特徴を有する。
【発明を実施するための最良の形態】
【００２６】
以下、この発明にかかる発光表示パネルの駆動装置について、図に示す実施の形態に基づいて説明する。図３はその第１の実施の形態を示すものであり、符号１〜４で示す表示パネル、データドライバ、走査ドライバ、発光制御回路は、すでに説明した図１に示す構成と同一であり、したがってその詳細な説明は省略する。なお、この図３に示す構成においても、図１に基づいてすでに説明したとおり、一走査期間毎にリセット期間と定電流期間（点灯駆動期間）が設定されることで、表示パネル１に配列された各ＥＬ素子が映像信号に基づいて選択的に点灯駆動されるように動作する。
【００２７】
図３に示す符号５ａは、非点灯駆動電源を示しており、これはリセット期間において、ドライブスイッチＳａ１〜Ｓａｍおよびデータ線Ａ１〜Ａｍを介して、表示パネル１に配列された各ＥＬ素子に対して、その出力電圧を供給すると共に、点灯駆動期間においては、点灯駆動対象外のデータ線に対して前記ドライブスイッチを介してその出力電圧を供給するようになされる。
【００２８】
この非点灯駆動電源５ａには、感温素子としてのサーミスタＴＨと抵抗素子Ｒ２との直列接続回路が具備されており、温度変化に依存する前記サーミスタと抵抗素子との分圧比の変化により、非点灯駆動電源５ａからの出力電圧が可変制御されるように構成されている。すなわち、前記サーミスタＴＨと抵抗素子Ｒ２の直列接続回路は電圧源Ｖ２に接続されており、前記サーミスタＴＨと抵抗素子Ｒ２とにより分圧された分圧出力は、ボルテージフォロアとして機能するｐｎｐ型トランジスタＴｒ１の制御電極であるベース端子に供給されるように構成されている。
【００２９】
前記トランジスタＴｒ１の一つの被制御電極、すなわちコレクタ電極は基準電位点であるグランドに接続され、他の一つの被制御電極、すなわちエミッタ電極は抵抗素子Ｒ１を介して電圧源Ｖ１に接続されるとともに、このエミッタ電極が非点灯駆動電源５ａにおける出力電圧端子を構成している。
【００３０】
前記サーミスタＴＨは、環境温度の変化に対して負特性を有しており、温度が低くなるにしたがってその抵抗値は大きくなる。したがって、図３に示す非点灯駆動電源５ａの構成においては、温度が低くなるにしたがってトランジスタＴｒ１のベース電位が上昇する。これによりトランジスタＴｒ１のエミッタとコレクタ間の直流抵抗値は上昇し、結果として環境温度が低くなるにしたがって非点灯駆動電源５ａにおける出力電圧が上昇する特性が得られる。
【００３１】
図４は図３に示した構成によってなされる一走査期間に対応するリセット期間および定電流期間（点灯駆動期間）において、前記データ線および走査線に印加される各電位の状態を示したものである。図４に示す（ａ）は、各データ線Ａ１〜Ａｍに印加されるリセット期間および定電流期間における電位を示しており、（ｂ）は走査対象となる走査線に印加される同じくリセット期間および定電流期間における電位を示している。さらに（ｃ）は走査対象外となる走査線に印加される同じくリセット期間および定電流期間における電位を示している。
【００３２】
すなわち、リセット期間においては、図４（ａ）に示すように各データ線Ａ１〜Ａｍに対して前記した非点灯駆動電源５ａからの出力電圧（ここではＶａ〜Ｖｃとして示している。）が供給され、定電流期間においては点灯対象となるＥＬ素子が接続されたデータ線に対して前記した定電流回路Ｉ１〜Ｉｍより定電流が供給され、これにより当該データ線には素子の順方向電圧Ｖｆが印加されることになる。
【００３３】
一方、走査対象となる走査線には、図４（ｂ）に示すようにリセット期間および定電流期間のいずれにおいてもグランド電位（０Ｖ）が印加される。また、走査対象外となる各走査線には、図４（ｃ）に示すように逆バイアス電圧ＶＭが印加される。
【００３４】
図５は前記した動作によって点灯対象となるＥＬ素子に印加される両端電位の状態を示したものである。すなわち、この図５に示す特性は、すでに説明した図２に示す例と同様に、横軸は一走査期間に対応するリセット期間と定電流期間（点灯駆動期間）を示しており、縦軸は点灯駆動対象とされる１つのＥＬ素子の両端電圧（順方向電圧）を模式的に示している。
【００３５】
図５に示すように、環境温度が高温状態においては、前記非点灯駆動電源５ａからの出力電圧値はＶａとして示すように比較的低い電圧値になされ、また環境温度が低温状態になるにしたがって、前記非点灯駆動電源５ａからの出力電圧値はＶｃとして示すように比較的高い電圧値になされる。これはリセット期間中において各ドライブスイッチＳａ１〜Ｓａｍを介して走査対象とされる走査線に接続されているすべてのＥＬ素子に加えられる。またこのリセット期間においては、すでに説明したとおり走査対象とされる走査スイッチは走査選択電位（グランド電位）に設定され、走査対象外とされる走査スイッチは逆バイアス電圧ＶＭに設定されている。
【００３６】
したがって、前記したリセット期間においては、環境温度に応じて可変制御される非点灯駆動電源５ａからの出力電圧を受けて各ＥＬ素子の寄生容量にはＶａ〜Ｖｃで示す電圧が蓄積される。そして、定電流期間に移行した場合には、点灯駆動対象となるＥＬ素子には、前記した点灯駆動電源である定電流回路Ｉ１〜Ｉｍより発光駆動電流が供給される。これにより、ＥＬ素子の両端電圧は寄生容量の影響を受けて除々に上昇し、環境温度に対応した順方向電圧Ｖｆａ〜Ｖｆｃに到達する。
【００３７】
図５に示した動作特性から理解できるように、例えば低温状態においては、リセット期間においてＶｃとして示す電圧が点灯対象となるＥＬ素子の寄生容量に蓄積され、この状態で定電流期間に移行することで、ＥＬ素子の両端電圧はＶｆｃで示す順方向電圧に上昇する。一方、高温状態においては、リセット期間においてＶａとして示す電圧が点灯対象となるＥＬ素子の寄生容量に蓄積され、この状態で定電流期間に移行することで、ＥＬ素子の両端電圧はＶｆａで示す順方向電圧に上昇する。
【００３８】
このように、非点灯駆動電源の出力電圧値を、環境温度に応じて可変制御するように構成したことにより、点灯対象となるＥＬ素子が、リセット期間から順方向電圧に立ち上がる時間は、低温状態および高温状態にかかわりなく、ほぼ一定の期間となるように調整される。換言すれば点灯対象となるＥＬ素子の発光輝度は、低温状態および高温状態にかかわりなくほぼ一定の値を呈することになり、ＥＬ素子の温度の依存性を解消させることができる。
【００３９】
なお、図３に示した非点灯駆動電源５ａにおいては、その出力電圧値は、前記ＥＬ素子の発光閾値電圧（Ｖｔｈ）以下の範囲で可変制御されるように設定されていることが望ましく、これにより、前記リセット期間等において各ＥＬ素子が点灯駆動状態となるのを阻止することができる。これは後述する図７および図８に示す非点灯駆動電源５ａ，５ｂの構成においても同様に設定される。
【００４０】
以上説明した動作は、リセット期間において走査対象となる走査線がグランド電位に設定される例を示している。これに対して、リセット期間において各走査線Ｋ１〜Ｋｎを全て逆バイアス電圧ＶＭに設定するリセット動作を実行することもできる。図６はその動作を説明するものである。図６に示す（ａ）〜（ｃ）は、すでに説明した図４に示す（ａ）〜（ｃ）と同様に、一走査期間に対応するリセット期間および定電流期間における前記データ線Ａ１〜Ａｍおよび走査線Ｋ１〜Ｋｎに印加される各電位の状態を示したものである。
【００４１】
図６に示すリセット動作においては、リセット期間において各走査線Ｋ１〜Ｋｎに対して逆バイアス電圧ＶＭが印加される。そして定電流期間においては、各データ線Ａ１〜Ａｍおよび走査線Ｋ１〜Ｋｎには図４に示した例と同様の電位が印加される。これによるとリセット期間においては、前記した逆バイアス電圧ＶＭを基準にして全てのＥＬ素子に対して非点灯駆動電源５ａからの出力電圧Ｖａ〜Ｖｃが印加される。
【００４２】
前記したリセット動作を伴う点灯駆動動作においても、点灯対象となるＥＬ素子の両端電圧の立ち上がる時間は、低温状態および高温状態にかかわりなく、ほぼ一定の期間となり、したがってＥＬ素子の温度の依存性を解消させることができる。
【００４３】
図７はこの発明にかかる表示パネルの駆動装置における第２の実施の形態を示すものであり、符号１〜４で示す各部はすでに説明した図１に示した構成と同一であり、その詳細な説明は省略する。この図７に示す非点灯駆動電源５ｂにおいては、前記表示パネル１に配列されたＥＬ素子と同一の成膜工程により、同一の層構造に構成されたＥＬ素子によるモニタ素子Ｅｘが用いられており、このモニタ素子Ｅｘに生ずる順方向電圧を利用して非点灯駆動電源５ｂによる出力電圧を生成するように構成されている。
【００４４】
すなわち、モニタ素子Ｅｘの順方向電圧が温度依存性を有していることを利用するものであり、このモニタ素子Ｅｘが表示用のＥＬ素子と同様に表示パネル１上に形成されることで、熱的な密着度合いが良好となり、これにより正確な温度補償を期待することができる。
【００４５】
図７に示す非点灯駆動電源５ｂには、電圧源Ｖ１により駆動される定電流源Ｉｘが具備されており、この定電流源Ｉｘからの電流が表示パネル１に形成された前記モニタ素子Ｅｘに供給されるとともに、そのモニタ素子Ｅｘのアノード端子がバッファーアンプ（電圧利得１）を構成するオペアンプＯＰ１に供給されるように構成されている。そして、オペアンプＯＰ１の出力は抵抗素子Ｒ３およびＲ４による分圧回路により分圧され、その分圧出力はバッファーアンプを構成する第２のオペアンプＯＰ２に供給され、この第２のオペアンプＯＰ２の出力が非点灯駆動電源５ｂの出力となるように構成されている。
【００４６】
前記したモニタ素子Ｅｘの順方向電圧は、すでに説明したとおり、負の温度依存特性を有しており、したがってこれにより生成される非点灯駆動電源５ｂの出力は、図５に示したリセット期間において表示用ＥＬ素子Ｅ１１〜Ｅｍｎに供給されるＶａ〜Ｖｃに示した電圧として利用することができる。
【００４７】
図８はこの発明にかかる表示パネルの駆動装置における第３の実施の形態を示すものであり、符号１〜４で示す各部はすでに説明した図１に示した構成と同一であり、その詳細な説明は省略する。この図８に示す構成においては、データドライバ２におけるドライブスイッチＳａ１〜Ｓａｍは、前記各データ線Ａ１〜Ａｍのそれぞれを、定電流回路Ｉ１〜Ｉｍ、またはグランド電位、もしくは非点灯駆動電源５ａに接続できるように構成されている。なお、図８に示す実施の形態においては、図３に基づいて説明した形態と同一構成の非点灯駆動電源５ａが具備されているが、これは図７に示した構成の非点灯駆動電源５ｂを用いることもできる。
【００４８】
図８に示すドライブスイッチＳａ１〜Ｓａｍは、前記したリセット期間を、各ＥＬ素子の寄生容量に蓄積された電荷を放電させる放電期間と、次に点灯対象となるＥＬ素子に対して非点灯駆動電源５の出力電圧を印加するプリチャージ期間とに別けて設定されるように動作する。
【００４９】
図９は、図８に示した構成によってなされる一走査期間に対応するリセット期間および定電流期間（点灯駆動期間）において、前記データ線および走査線に印加される各電位の状態を示したものである。なお、図９に示す（ａ）〜（ｃ）は、すでに説明した図４および図６に示す（ａ）〜（ｃ）と同様に、一走査期間に対応するリセット期間および定電流期間における前記データ線Ａ１〜Ａｍおよび走査線Ｋ１〜Ｋｎに印加される各電位の状態を示したものである。
【００５０】
加えて図９に示すリセット動作においては、リセット期間の前半をｄで示す放電期間と、ｅで示すプリチャージ期間とに別けて設定するようになされる。すなわち図９にｄで示す放電期間においては、図８に示すドライブスイッチＳａ１〜Ｓａｍはグランド側を選択するように動作する。また、各走査スイッチＳｋ１〜Ｓｋｎは、すべて走査選択電位であるグランド側に接続される。
【００５１】
したがって、表示パネル１に配列された各ＥＬ素子の両端は、それぞれグランド電位に接続され、各ＥＬ素子の寄生容量に蓄積された電荷はすべて放電される。これに続く次のプリチャージ期間ｅにおいては、ドライブスイッチＳａ１〜Ｓａｍは、図９（ａ）に示されたように前記非点灯駆動電源５ａ側に接続される。この時、走査対象となる走査線には、図９（ｂ）に示すようにグランド電位（０Ｖ）が印加され、また走査対象外となる走査線には図９（ｃ）に示すように逆バイアス電圧ＶＭが印加される。そして、前記プリチャージ期間ｅに続く定電流期間においては、すでに説明した図４と同様の制御が実行される。
【００５２】
図１０は、前記した動作に基づいてなされる点灯対象となるＥＬ素子に印加される両端電位の状態を示したものであり、これはすでに説明した図５に示す例と同様に、横軸は一走査期間に対応するリセット期間と定電流期間を示しており、縦軸は点灯駆動対象とされる１つのＥＬ素子の両端電圧（順方向電圧）を模式的に示している。
【００５３】
図８および図９に示した実施の形態によると、図１０に示されたようにリセット期間の前半における放電期間ｄにおいて、表示パネル１に配列された各ＥＬ素子の寄生容量に蓄積された電荷がすべて放電されるので、次に点灯駆動されるＥＬ素子が、前の走査により蓄積された電荷の影響を受けるのを避けることができ、ＥＬ素子の発光輝度を精度よく制御することが可能となる。
【００５４】
そして、プリチャージ期間ｅ以降においては、図５に示した動作と同様になされるので、点灯対象となるＥＬ素子の両端電圧の立ち上がる時間は、低温状態および高温状態にかかわりなく、ほぼ一定の期間となり、したがってＥＬ素子の温度の依存性を解消させることができる。
【００５５】
図１１は、符号ｅで示すプリチャージ期間において、各走査線Ｋ１〜Ｋｎの電位を全て逆バイアス電位ＶＭに設定する例を示しており、他は図９に示した動作と同様である。これによるとプリチャージ期間ｅにおいては、前記した逆バイアス電圧ＶＭを基準にして全てのＥＬ素子に対して非点灯駆動電源５ａからの出力電圧Ｖａ〜Ｖｃが印加される。
【００５６】
このようなプリチャージ動作によっても、点灯対象となるＥＬ素子の両端電圧の立ち上がる時間は、低温状態および高温状態にかかわりなく、ほぼ一定の期間となり、したがってＥＬ素子の温度の依存性を解消させることができる。
【００５７】
以上説明した実施の形態は、発光表示パネル１に同一色の発光を呈するＥＬ素子を配列したモノクローム表示に対応した駆動装置を想定している。これに対して図１２はカラー表示を想定したこの発明にかかる駆動装置の好ましい実施の形態を示している。この図１２に示した表示パネル１においてはＲ（赤），Ｇ（緑），Ｂ（青）の発光色によるＥＬ素子をそれぞれサブ画素とし、これら３つのサブ画素により１つのカラー画素を構成している。
【００５８】
すなわち、図１２にその一部を示したとおり、Ｅ１１Ｒ，Ｅ１２Ｒ，……Ｅ１ｎＲが前記赤を発光するサブ画素であり、またＥ１１Ｇ，Ｅ１２Ｇ，……Ｅ１ｎＧが前記緑を発光するサブ画素であり、さらにＥ１１Ｂ，Ｅ１２Ｂ，……Ｅ１ｎＢが前記青を発光するサブ画素を示している。図１２に示す実施の形態においては、前記Ｒ（赤）の発光色のサブ画素に対応する非点灯駆動電源５Ｒ、前記Ｇ（緑）の発光色のサブ画素に対応する非点灯駆動電源５Ｇ、前記Ｂ（青）の発光色のサブ画素に対応する非点灯駆動電源５Ｂが備えられている。
【００５９】
これらの非点灯駆動電源５Ｒ，５Ｇ，５Ｂは、すでに説明した図３に示す非点灯駆動電源５ａ、もしくは図７に示す非点灯駆動電源５ｂの構成を備えており、それぞれの出力電圧値が環境温度に応じて個別に可変制御されるように構成されている。そして、非点灯駆動電源５Ｒ，５Ｇ，５Ｂからの出力は、すでに説明したリセット期間において各サブ画素にそれぞれ印加され、各サブ画素を構成するＥＬ素子の寄生容量には、発光色毎に制御される例えば図５に示したＶａ〜Ｖｃで示す電圧が蓄積されるように動作する。
【００６０】
したがって、図１２に示した構成によると、それぞれにおいて温度に対する輝度特性が異なるＲ（赤），Ｇ（緑），Ｂ（青）のサブ画素による色度バランスを、温度変化に対応して好適に整えることが可能となる。
【００６１】
なお、図１２に示した実施の形態においては、前記Ｒ，Ｇ，Ｂのサブ画素に対応して、それぞれ非点灯駆動電源５Ｒ，５Ｇ，５Ｂを備えた構成にされているが、前記Ｒ，Ｇ，Ｂのサブ画素の特性によっては、１つの非点灯駆動電源による出力電圧を共用して、２つのサブ画素に対して同一の出力電圧を供給するようにしても温度に対する色度バランスを保ことができる場合もある。したがって、前記したような場合においては、少なくとも２つの非点灯駆動電源を備えることで、前記した色度バランスを保持させる作用効果を得ることができる。
【００６２】
また、図１２に示した非点灯駆動電源５Ｒ，５Ｇ，５Ｂを備えた構成は、図８に示したように３入力型のドライブスイッチを備え、リセット期間を、放電期間ｄとプリチャージ期間ｅとに別けて設定されるように動作させるカラー表示パネルの駆動装置に適用することもできる。
【００６３】
なお、以上説明した実施の形態においては、表示パネルに配列される発光素子として有機ＥＬ素子を用いた例を示しているが、前記発光素子として容量性の他の素子を用いた場合においても同様の作用効果を得ることができる。
【図面の簡単な説明】
【００６４】
【図１】従来のパッシブマトリクス型表示パネルとその駆動回路の一例を示した回路構成図である。
【図２】図１に示した表示パネルにおける点灯駆動動作を模式的に説明するタイミングチャートである。
【図３】この発明にかかる駆動装置の第１の実施の形態を示した回路構成図である。
【図４】図３に示した駆動装置による一つの点灯駆動動作を説明するタイミングチャートである。
【図５】図４に示す駆動動作によってなされる作用を説明するタイミングチャートである。
【図６】図３に示した駆動装置による他の一つの点灯駆動動作を説明するタイミングチャートである。
【図７】この発明にかかる駆動装置の第２の実施の形態を示した回路構成図である。
【図８】同じく第３の実施の形態を示した回路構成図である。
【図９】図８に示した駆動装置による一つの点灯駆動動作を説明するタイミングチャートである。
【図１０】図９に示す駆動動作によってなされる作用を説明するタイミングチャートである。
【図１１】図８に示した駆動装置による他の一つの点灯駆動動作を説明するタイミングチャートである。
【図１２】この発明にかかる駆動装置の第４の実施の形態を示した回路構成図である。
【符号の説明】
【００６５】
１                  発光表示パネル
２                  データドライバ
３                  走査ドライバ
４                  発光制御回路
５，５ａ，５ｂ      非点灯駆動電源
５Ｒ，５Ｇ，５Ｂ    非点灯駆動電源
Ａ１〜Ａｍ          データ線（陽極線）
Ｅ１１〜Ｅｍｎ      発光素子（有機ＥＬ素子）
Ｅｘ                モニタ素子
Ｉ１〜Ｉｍ          点灯駆動電源（定電流源）
Ｋ１〜Ｋｎ          走査線（陰極線）
Ｓａ１〜Ｓａｍ      ドライブスイッチ
Ｓｋ１〜Ｓｋｎ      走査スイッチ
ＴＨ                サーミスタ（感温素子）
Ｔｒ１              トランジスタ
ＶＨ                駆動電圧源
ＶＭ                逆バイアス電圧源（非走査選択電源）
【図１】
2007101826.tif 000003
【図２】
2007101826.tif 000004
【図３】
2007101826.tif 000005
【図４】
2007101826.tif 000006
【図５】
2007101826.tif 000007
【図６】
2007101826.tif 000008
【図７】
2007101826.tif 000009
【図８】
2007101826.tif 000010
【図９】
2007101826.tif 000011
【図１０】
2007101826.tif 000012
【図１１】
2007101826.tif 000013
【図１２】
2007101826.tif 000014